(57)【要約】【課題】縦列に並べて搭載された複数の立方体型商品パッケージを前方へ押し出す機構を備えた商品トレイを、商品の銘柄別に複数列、複数段並べて使用する商品陳列販売什器に於いて、該トレイを収納する筐体は、小ロット生産のためコスト高となっている上、新商品の発売や発売中止、設置場所の移動等の際に収納する商品トレイの数量の増減に対応できないという欠点を有している。【解決手段】本発明では、筐体を排し、上下左右の商品トレイ同士を脱着自在な連結板で互いに支持、連結して陳列販売什器を構成するものとした。【選択図】図１
2009000459.tif 000002
【特許請求の範囲】
【請求項１】
縦列に並べて搭載された複数の立方体型商品パッケージを順に前方へ押し出す手段を備えた商品トレイが、複数列、複数段並べ重ねられてなる商品陳列販売什器に於いて、該什器が複数の商品トレイと複数の連結板から構成されることを特徴とする商品陳列販売什器
【請求項２】
商品トレイの一方の側面の外寄りに二対の鍵型突起をそれぞれ内向きに突設すると共に、他方の側面に一方の側面の二対の該鍵型突起の中間に納まる位置に一対の鍵型突起を内向きに突設したことを特徴とする請求項１の商品陳列販売什器
【請求項３】
一枚板からなる連結板の上辺及び下辺をそれぞれ商品トレイ側面の鍵型突起の縦方向の高さの２分の１の深さまで３片に分割し、外寄りの２片の片面をそれぞれ厚みの二分の一よりやや薄い状態にそぎ落とすと共に、中央の１片は他面を同様にそぎ落とした形状で、商品トレイ側面に突設された鍵型突起への係合部として形成したことを特徴とする請求項１の商品陳列販売什器
【請求項４】
上辺及び下辺に形成された商品トレイへの係合部を除いた連結板の板面部分の形状が、略平行四辺形であることを特徴とする請求項１の商品陳列販売什器
【発明の詳細な説明】
【技術分野】
【０００１】  本発明は、商品陳列什器に関し、特に縦列に並べて搭載された複数の立方体型商品パッケージを前方へ押し出す機構を備えた商品トレイを、商品の銘柄別に複数列、複数段並べて使用する商品陳列販売什器に関するものである。
【技術背景】
【０００２】  縦列に並べて搭載された複数の立方体型の商品パッケージを前方へ押し出す機構を備えた商品トレイは、奥行寸法が長く蓋のない箱型であり、最前列のパッケージを抜き取るとバネの力で次のパッケージが最前列へ移動するという優れた機能を有するもので、特にタバコ陳列販売用としてスーパーやコンビニエンスストアのレジ回り等で広く用いられている。
【０００３】  数十種に及ぶタバコを効率的に陳列、販売するため、銘柄ごとに単体の該商品トレイに搭載し、これを複数段の中棚を有する筐体に収納して一体型の販売什器を構成し、店の陳列棚やカウンター等に載せて、主に販売員が扱うものとして使用している。
【発明の開示】
【発明が解決しようとする課題】
【０００４】  該商品トレイの機能は前述のように大変に優れたものであり、特に改良の余地はないが、これらを収納する筐体については、店の規模や扱う銘柄数、設置する場所等によってサイズがまちまちのため、通常は少数ずつ透明アクリル板等を接着するなどして製作されており、生産ロットが少数のためコスト高となっている。また、新製品の発売や発売中止、設置場所の移動等の際に収納する商品トレイの数量の増減に十分に対応できないという欠点も有している。
【課題を解決するための手段】
【０００５】  本発明では、該商品トレイの優れた機能はそのままに、上下左右の商品トレイ同士を脱着自在な連結板で互いに支持、連結して多列、多段な商品陳列販売什器を構成するものとした。
【発明の効果】
【０００６】  本発明の商品トレイと連結板による什器構成は、脱着自在な組立式であり、また筐体を使用しないため銘柄数の増減や売場の移動に際しても難なく対応できるばかりでなく、販売什器製作コストの大幅な削減を実現する。
【発明を実施するための最良の形態】
【０００７】  実施に際しての最良の形態であるタバコ陳列販売什器１を例に挙げ、本発明の商品陳列販売什器を説明する。縦列に並べて搭載された複数のタバコパッケージ３０を前方へ押し出す機構を備えた奥行寸法が長く蓋のない箱型の商品トレイ１０複数個と、脱着自在な複数の連結板２０とで構成するタバコ陳列販売什器１は、商品トレイ１０の一方の側面の外寄りに二対の鍵型突起１１をそれぞれ内向きに突設し、他方の側面には一方の側面の二対の該鍵型突起１１の中間に納まる位置で一対の鍵型突起１１を内向きに突設することにより、複数の商品トレイ１０を横に並べて寄せた時、互いの鍵型突起１１の外側が隣の商品トレイ１０の側面に当接して隙間なく横並びする。【０００８】  連結板２０は１枚板であり、上辺及び下辺をそれぞれ商品トレイ１０の側面に突設された鍵型突起１１の縦方向の高さの２分の１の深さまで３片に分割し、外寄りの２片の片面をそれぞれ厚みの二分の一よりやや薄くそぎ落とすと共に、中央の１片は他面を同様にそぎ落とした形状に形成した商品トレイ１０への係合部２１を有する。また、上辺及び下辺の商品トレイ１０への係合部２１を除いた板面部分の形状は略平行四辺形とする。
【発明の効果】
【０００９】  本発明の商品陳列販売什器であるタバコ陳列販売什器１は、店の規模や扱う銘柄数、設置する場所等に合わせた少ロット生産のためコスト高となっていた筐体を排して大幅なコスト削減を実現し、また、組み外し自在であるため新商品の発売や販売中止、店内設置場所の移動等の際の商品トレイ１０の数量の増減に容易に対応できる。
【実施例】
【００１０】  以下、本発明に係る商品陳列販売什器であるタバコ陳列販売什器１を図面に基づいて詳細に説明する。図１はこの発明に係るタバコ陳列販売什器１を３列３段すなわちタバコ９銘柄で使用する状態の全体を示す斜視図であり、商品トレイ１０を９個、連結板２０を８枚使用している。【００１１】  商品トレイ１０の両側面に突設された鍵型突起１１に係合されたそれぞれの連結板２０は、トレイ１０を横並びに連結すると共に、タバコパッケージ３０の高さを稼ぎつつ上下の商品トレイ１０同士も脱着自在に連結している。この連結構成により横並びも縦並びも自在に数を増やすことができ、また減らすことができる。【００１２】  連結板２０の上辺及び下辺の商品トレイ１０への係合部２１を除いた平板の部分の形状が略平行四辺形であるため、同じ奥行寸法の商品トレイ１０を上下に連結すると、上方の商品トレイ１０は下方の商品トレイ１０よりタバコパッケージ３０の１個分の厚さよりやや大きめにセットバックされ、下方の商品トレイ１０からのタバコパッケージ３０の取り出しが容易となっている。【００１３】  図２は商品トレイ１０を左右の斜め上方から見た斜視図である。タバコパッケージ３０の押し出し機構は従来技術通りであるので、図面の複雑化を避けるため省略してあるが、商品トレイ１０の一方の側面の外寄りには二対の鍵型突起１１がそれぞれ内向きに突設され、他方の側面には一方の側面の二対の該鍵型突起１１の中間に納まる位置で一対の鍵型突起１１が内向きに突設されている。この内向きに設けられた計三対の鍵型突起１１に、連結板２０の上辺又は下辺の係合部２１が抱き込まれ脱着自在に係合される。【００１４】  図３は連結板２０の斜視図である。連結板２０は１枚板であり、上辺及び下辺をそれぞれ商品トレイ１０側面の鍵型突起１１の縦方向の高さの２分の１の深さまで３片に分割すると共に、外寄りの２片の片面をそれぞれ厚みの二分の一よりやや薄くそぎ落とすと共に、中央の１片は他面を同様にそぎ落とした形状に形成して商品トレイ１０への係合部２１としている。また、本実施例では、前述のように上辺及び下辺の商品トレイ１０への係合部２１を除いた平板部分の形状を略平行四辺形としている。【００１５】  図４は商品トレイ１０の鍵型突起１１と連結板２０の係合部２１の係合状態に於ける平面断面図である。商品トレイ１０の側面と、連結板２０の係合部２１を係合する鍵型突起１１の内側との隙間部分の寸法は、連結板２０の厚さの約二分の一であり、連結板２０の三分割された係合部２１はそれぞれ厚さの二分の一よりやや薄く形成されているため、横並びの商品トレイ１０を次々と連結することができる。すなわち、一枚の連結板２０は、外寄り２ヶ所の係合部２１で一方の商品トレイ１０を、中央の係合部２１で他方の商品トレイ１０を係合することにより、商品トレイ１０同士を互いに当接した状態で連結する。【００１６】  また、図５の正断面図に示すように連結板２０の上辺、下辺の係合部２１はそれぞれ商品トレイ１０の鍵型突起１１の高さ寸法の二分の一の寸法で形成されているため、上下の商品トレイ１０の鍵型突起１１のそれぞれ上半分、下半分に係合することにより、多段の上下の積み重ねを可能としている。
【産業上の利用可能性】
【００１７】  縦列に並べて搭載された複数のタバコパッケージを前方へ押し出す機構を備えた複数の商品トレイと脱着自在な複数枚の連結板とで構成する本発明に係るタバコ陳列販売什器は、組み外し自在であるため、扱う銘柄数、設置する場所または新タバコの発売や販売中止等の販売環境の変化にすばやく対応できるばかりか、少ロット生産のためコスト高となっていた筐体を排することにより大幅なコスト削減を実現したため、スーパーやコンビニエンスストア等のタバコ販売に欠くことのできない什器として大いに使用されると確信する。
【図面の簡単な説明】
【００１８】
【図１】  本発明の商品陳列販売什器の一形態としてのタバコ陳列販売什器に於ける３列３段の実施例の全体を示す斜視図である
【図２】  本発明に係る商品トレイを、タバコパッケージ押し出し機構の部分を省略して左及び右斜め上方から見た斜視図である
【図３】  本発明に係る連結板の斜視図である
【図４】  本発明に係る商品トレイの鍵型突起と、連結板の係合部との３列３段の係合状態に於ける平断面図である。
【図５】  本発明に係る商品トレイの鍵型突起と、連結板の係合部との３列３段の係合状態に於ける正断面図である
【符号の説明】
【００１９】        １  タバコ陳列什器
１０  商品トレイ
１１  鍵型突起
２０  連結板
２１  係合部
３０  タバコパッケージ
【図１】
2009000459.tif 000003
【図２】
2009000459.tif 000004
【図３】
2009000459.tif 000005
【図４】
2009000459.tif 000006
【図５】
2009000459.tif 000007